(57)【要約】【課題】背側からの軟便の漏れを抑えつつ、肌側シートに残留する軟便の量を軽減すること。【解決手段】吸収体（２）と、肌側シート（３）と、吸収体（２）と肌側シート（３）の間に位置する中間シート（４）とを有する吸収性物品（１）であって、肌側シート（３）が第１表面形状である第１表面領域（３１）と、肌側シート（３）が第２表面形状である第２表面領域（３２）とを有し、第１表面領域（３１）は、肌側から中間シート（４）に重なる配置領域（３３）と、中間シート（４）と重ならない非配置領域（３４）とを有し、吸収性物品（１）が展開かつ伸長された状態において、配置領域（３３）の少なくとも一部は吸収性物品（１）の縦方向の中心よりも背側に位置し、非配置領域（３４）の少なくとも一部は配置領域（３３）よりも縦方向の背側に位置していること。【選択図】図４
2020028379.tif 000002
【特許請求の範囲】
【請求項１】
縦方向、及び、横方向を有し、
吸収体と、前記吸収体よりも肌側に位置する肌側シートと、前記吸収体と前記肌側シートの間に位置する中間シートと、を有する吸収性物品であって、
前記肌側シートが第１表面形状である第１表面領域と、前記肌側シートが前記第１表面形状とは異なる第２表面形状である第２表面領域と、を有し、
前記第１表面領域は、肌側から前記中間シートに重なる配置領域と、前記中間シートと重ならない非配置領域とを有し、
前記吸収性物品が展開かつ伸長された状態において、
前記配置領域の少なくとも一部は、前記吸収性物品の前記縦方向の中心よりも背側に位置し、
前記非配置領域の少なくとも一部は、前記配置領域よりも前記縦方向の背側に位置していることを特徴とする吸収性物品。
【請求項２】
請求項１に記載の吸収性物品であって、
前記第１表面領域の方が、前記第２表面領域に比べて、前記肌側シートの平面方向における繊維の疎密差が大きいことを特徴とする吸収性物品。
【請求項３】
請求項２に記載の吸収性物品であって、
前記第１表面領域では、前記肌側シートと、前記肌側シートと非肌側にて隣り合う資材との間に、空間が設けられていることを特徴とする吸収性物品。
【請求項４】
請求項３に記載の吸収性物品であって、
前記第１表面領域では、前記肌側シートが凹凸形状を成し、凹凸の側壁部の方が凹凸の頂部に比べて繊維の密度が疎になっていることを特徴とする吸収性物品。
【請求項５】
請求項２から４の何れか１項に記載の吸収性物品であって、
前記第２表面領域は、肌側から前記中間シートに重なる第２配置領域を有し、
前記吸収性物品が展開かつ伸長された状態において、前記第２配置領域の少なくとも一部は、前記配置領域よりも前記縦方向の腹側に位置していることを特徴とする吸収性物品。
【請求項６】
請求項５に記載の吸収性物品であって、
前記吸収性物品が展開かつ伸長された状態において、前記第２配置領域の前記縦方向の長さは、前記配置領域の前記縦方向の長さと前記非配置領域の前記縦方向の長さとを合計した長さよりも長いことを特徴とする吸収性物品。
【請求項７】
請求項２から６の何れか１項に記載の吸収性物品であって、
背側胴回り域から前記横方向の両外側に一対のファスニングテープが延出するテープ型の吸収性物品であり、
前記吸収性物品が展開かつ伸長された状態において、前記第１表面領域は、前記ファスニングテープの前記縦方向の中心よりも前記縦方向の腹側に位置していることを特徴とする吸収性物品。
【請求項８】
請求項２から７の何れか１項に記載の吸収性物品であって、
背側胴回り域から前記横方向の両外側に一対のファスニングテープが延出するテープ型の吸収性物品であり、
前記背側胴回り域に、前記横方向に伸縮する胴回り伸縮性部材が配置されており、
前記吸収性物品が展開かつ伸長された状態において、前記第１表面領域は、前記胴回り伸縮性部材よりも前記縦方向の腹側に位置していることを特徴とする吸収性物品。
【請求項９】
請求項１から８の何れか１項に記載の吸収性物品であって、
前記吸収性物品が展開かつ伸長された状態において、前記非配置領域の前記縦方向の長さは、前記配置領域の前記縦方向の長さよりも長いことを特徴とする吸収性物品。
【請求項１０】
請求項１から９の何れか１項に記載の吸収性物品であって、
前記第１表面領域では、肌側に突出した複数の凸部が前記横方向に並んでいることを特徴とする吸収性物品。
【請求項１１】
請求項１０に記載の吸収性物品であって、
前記第１表面領域では、前記複数の凸部が前記縦方向に並んでいることを特徴とする吸収性物品。
【請求項１２】
請求項１から１１の何れか１項に記載の吸収性物品であって、
前記吸収性物品が展開かつ伸長された状態において、前記非配置領域の前記横方向の長さは、前記配置領域の前記横方向の長さよりも長いことを特徴とする吸収性物品。
【請求項１３】
請求項１２に記載の吸収性物品であって、
前記吸収体の前記横方向の両側部において、肌側に起立する一対の防漏壁部を有し、
前記吸収性物品が展開かつ伸長された状態において、前記配置領域よりも前記横方向に延出する前記非配置領域の部位の少なくとも一部は、前記防漏壁部よりも前記横方向の中央側に位置していることを特徴とする吸収性物品。
【発明の詳細な説明】
【技術分野】
【０００１】
本発明は、吸収性物品に関する。
【背景技術】
【０００２】
特許文献１には、吸収体により吸収した尿の逆戻りを防止するために、トップシートと吸収体との間に中間シートを介在させた使い捨ておむつが開示されている。また、特許文献１では、トップシートの前端を０％としトップシートの後端を１００％としたとき、中間シートの前端は０〜１１％の範囲に位置し、中間シートの後端は９２％〜１００％の範囲に位置するのが好ましいとされており、おむつの前側部分から後側部分の広い範囲に亘り中間シートが配置されている。
【先行技術文献】
【特許文献】
【０００３】
【特許文献１】特開２０１３−１７２８１３号公報
【発明の概要】
【発明が解決しようとする課題】
【０００４】
使い捨ておむつには、尿だけでなく、便も排泄される。水分を多く含む軟便は、背側から漏れやすく、かつ、肌に付着しやすいという問題がある。特許文献１のおむつのように、おむつの後側部分にまで中間シートが配置されていることで、軟便に含まれる水分が中間シートへ素早く移行し、軟便の流れを抑えることができる。しかし、先に水分だけが吸収された軟便は、粘度が高まり、トップシートの内側に取り込まれにくくなる。その結果、トップシート（肌側シート）の表面に軟便が残りやすく、着用者の肌に軟便が付着しやすくなる。
【０００５】
そこで、本発明は、背側からの軟便の漏れを抑えつつ、肌側シートに残留する軟便の量を軽減することを目的とする。
【課題を解決するための手段】
【０００６】
上記目的を達成するための主たる発明は、縦方向、及び、横方向を有し、吸収体と、前記吸収体よりも肌側に位置する肌側シートと、前記吸収体と前記肌側シートの間に位置する中間シートと、を有する吸収性物品であって、前記肌側シートが第１表面形状である第１表面領域と、前記肌側シートが前記第１表面形状とは異なる第２表面形状である第２表面領域と、を有し、前記第１表面領域は、肌側から前記中間シートに重なる配置領域と、前記中間シートと重ならない非配置領域とを有し、前記吸収性物品が展開かつ伸長された状態において、前記配置領域の少なくとも一部は、前記吸収性物品の前記縦方向の中心よりも背側に位置し、前記非配置領域の少なくとも一部は、前記配置領域よりも前記縦方向の背側に位置していることを特徴とする吸収性物品である。
本発明の他の特徴については、本明細書及び添付図面の記載により明らかにする。
【発明の効果】
【０００７】
本発明によれば、背側からの軟便の漏れを抑えつつ、肌側シートに残留する軟便の量を軽減することができる。
【図面の簡単な説明】
【０００８】
【図１】おむつ１が展開かつ伸長された状態における平面図である。
【図２】図１に示す線Ａ−Ａでの断面図である。
【図３】図３Ａは肌側シート３の第２表面領域３２の断面図であり、図３Ｂは肌側シート３の第１表面領域３１の断面図であり、図３Ｃは肌側シート３の加工の様子を示す図である。
【図４】第１表面領域３１と中間シート４の配置を示す図である。
【図５】第１表面領域３１と防漏壁部１１の配置を示す図である。
【図６】図６Ａ及び図６Ｂは尿の吸収の説明図である。
【図７】図７Ａ〜図７Ｃ軟便の吸収の説明図である。
【図８】図８Ａ〜図８Ｃは軟便の吸収の説明図である。
【発明を実施するための形態】
【０００９】
本明細書及び添付図面の記載により、少なくとも以下の事項が明らかとなる。
縦方向、及び、横方向を有し、吸収体と、前記吸収体よりも肌側に位置する肌側シートと、前記吸収体と前記肌側シートの間に位置する中間シートと、を有する吸収性物品であって、前記肌側シートが第１表面形状である第１表面領域と、前記肌側シートが前記第１表面形状とは異なる第２表面形状である第２表面領域と、を有し、前記第１表面領域は、肌側から前記中間シートに重なる配置領域と、前記中間シートと重ならない非配置領域とを有し、前記吸収性物品が展開かつ伸長された状態において、前記配置領域の少なくとも一部は、前記吸収性物品の前記縦方向の中心よりも背側に位置し、前記非配置領域の少なくとも一部は、前記配置領域よりも前記縦方向の背側に位置していることを特徴とする吸収性物品である。
【００１０】
このような吸収性物品によれば、配置領域において軟便の水分を中間シートへ移行でき、軟便の流れを抑えることができる。よって、背側からの軟便の漏れを抑制できる。また、配置領域を超えて背側の非配置領域に流れた軟便全体を、肌側シートの内側に取り込みやすく、肌側シート上に残留する軟便の量を軽減できる。
【００１１】
かかる吸収性物品であって、前記第１表面領域の方が、前記第２表面領域に比べて、前記肌側シートの平面方向における繊維の疎密差が大きいことを特徴とする吸収性物品である。
【００１２】
このような吸収性物品によれば、第１表面領域の繊維が疎の部分から軟便全体を、肌側シートの内側に取り込みやすく、肌側シート上に残留する軟便の量を軽減できる。
【００１３】
かかる吸収性物品であって、前記第１表面領域では、前記肌側シートと、前記肌側シートと非肌側にて隣り合う資材との間に、空間が設けられていることを特徴とする吸収性物品である。
【００１４】
このような吸収性物品によれば、肌側シートの下層（非肌側）の空間に、より多くの軟便を取り込みやすく、肌側シート上に残留する軟便の量を軽減できる。
【００１５】
かかる吸収性物品であって、前記第１表面領域では、前記肌側シートが凹凸形状を成し、凹凸の側壁部の方が凹凸の頂部に比べて繊維の密度が疎になっていることを特徴とする吸収性物品である。
【００１６】
このような吸収性物品によれば、側壁部（繊維が疎の部分）から軟便全体を、肌側シートの内側に取り込みやすく、肌側シート上に残留する軟便の量を軽減できる。
【００１７】
かかる吸収性物品であって、前記第２表面領域は、肌側から前記中間シートに重なる第２配置領域を有し、前記吸収性物品が展開かつ伸長された状態において、前記第２配置領域の少なくとも一部は、前記配置領域よりも前記縦方向の腹側に位置していることを特徴とする吸収性物品である。
【００１８】
このような吸収性物品によれば、第２表面領域では繊維の疎密差が小さく、第２配置領域の全域に亘り尿が中間シートへ移行しやすく、尿漏れを抑制できる。
【００１９】
かかる吸収性物品であって、前記吸収性物品が展開かつ伸長された状態において、前記第２配置領域の前記縦方向の長さは、前記配置領域の前記縦方向の長さと前記非配置領域の前記縦方向の長さとを合計した長さよりも長いことを特徴とする吸収性物品である。
【００２０】
このような吸収性物品によれば、排尿に適した第２配置領域を縦方向に広く配置でき、尿漏れを抑制できる。
【００２１】
かかる吸収性物品であって、背側胴回り域から前記横方向の両外側に一対のファスニングテープが延出するテープ型の吸収性物品であり、前記吸収性物品が展開かつ伸長された状態において、前記第１表面領域は、前記ファスニングテープの前記縦方向の中心よりも前記縦方向の腹側に位置していることを特徴とする吸収性物品である。
【００２２】
このような吸収性物品によれば、繊維が密の部分（剛性の高い部分）を有する第１表面領域がファスニングテープによって着用者に強く密着せず、着け心地を良くできる。
【００２３】
かかる吸収性物品であって、背側胴回り域から前記横方向の両外側に一対のファスニングテープが延出するテープ型の吸収性物品であり、前記背側胴回り域に、前記横方向に伸縮する胴回り伸縮性部材が配置されており、前記吸収性物品が展開かつ伸長された状態において、前記第１表面領域は、前記胴回り伸縮性部材よりも前記縦方向の腹側に位置していることを特徴とする吸収性物品である。
【００２４】
このような吸収性物品によれば、繊維が密の部分（剛性の高い部分）を有する第１表面領域が胴回り伸縮性部材によって着用者に強く密着せず、着け心地を良くできる。
【００２５】
かかる吸収性物品であって、前記吸収性物品が展開かつ伸長された状態において、前記非配置領域の前記縦方向の長さは、前記配置領域の前記縦方向の長さよりも長いことを特徴とする吸収性物品である。
【００２６】
このような吸収性物品によれば、軟便を肌側シートの内側に取り込みやすい非配置領域を縦方向に広く配置でき、肌側シート上に残留する軟便の量を軽減できる。
【００２７】
かかる吸収性物品であって、前記第１表面領域では、肌側に突出した複数の凸部が前記横方向に並んでいることを特徴とする吸収性物品である。
【００２８】
このような吸収性物品によれば、凸部によって、縦方向の背側への軟便の流れを抑えることができ、背側からの軟便の漏れを抑制できる。
【００２９】
かかる吸収性物品であって、前記第１表面領域では、前記複数の凸部が前記縦方向に並んでいることを特徴とする吸収性物品である。
【００３０】
このような吸収性物品によれば、凸部によって、横方向の外側への軟便の流れを抑えることができ、脚周り開口部からの軟便の漏れを抑制できる。
【００３１】
かかる吸収性物品であって、前記吸収性物品が展開かつ伸長された状態において、前記非配置領域の前記横方向の長さは、前記配置領域の前記横方向の長さよりも長いことを特徴とする吸収性物品である。
【００３２】
このような吸収性物品によれば、横方向に流れ広がった軟便を、非配置領域において肌側シートの内側に取り込みやすく、肌側シート上に残留する軟便の量を軽減できる。
【００３３】
かかる吸収性物品であって、前記吸収体の前記横方向の両側部において、肌側に起立する一対の防漏壁部を有し、前記吸収性物品が展開かつ伸長された状態において、前記配置領域よりも前記横方向に延出する前記非配置領域の部位の少なくとも一部は、前記防漏壁部よりも前記横方向の中央側に位置していることを特徴とする吸収性物品である。
【００３４】
このような吸収性物品によれば、横方向における配置領域と防漏壁部との間の非配置領域において、軟便を肌側シートの内側に取り込みつつ、防漏壁部の内側へ誘導できる。よって、脚周り開口部からの軟便の漏れを抑制できる。
【００３５】
＝＝＝実施形態＝＝＝
本発明に係る吸収性物品として、乳幼児用のテープ型使い捨ておむつを例に挙げて実施形態を説明する。ただし、これに限らず、例えば、パンツ型やパッドタイプの使い捨ておむつ、大人用のテープ型使い捨ておむつ等にも本発明を適用できる。
【００３６】
＝＝＝テープ型使い捨ておむつ１の基本構成＝＝＝
図１はテープ型使い捨ておむつ１（以下「おむつ」ともいう）が展開かつ伸長された状態における平面図である。図２は図１に示す線Ａ−Ａでの断面図である。おむつ１を伸長させた状態とは、おむつ１に生じていた皺が実質的に視認されなくなる程に伸長させた状態であり、おむつ１を構成する各資材（例えば後述するサイドシート７等）の寸法がその資材単体の寸法と一致又はそれに近い長さになるまでおむつ１が伸長した状態である。
【００３７】
おむつ１は、互いに直交する縦方向及び横方向を有するとともに、背側胴回り域１Ａ、股下域１Ｂ、腹側胴回り域１Ｃを縦方向に並んで有する。図２に示すように、おむつ１を構成する資材が積層された方向を厚さ方向という。厚さ方向において、着用者に接する側を肌側といい、その反対側を非肌側という。
【００３８】
図２に示すように、おむつ１は、排泄物を吸収する吸収体２と、吸収体２よりも肌側に位置する液透過性の肌側シート３と、吸収体２と肌側シート３の間に位置する液透過性の中間シート４と、吸収体２よりも非肌側に位置する液不透過性の防漏シート５と、防漏シート５よりも非肌側に位置する外装シート６と、肌側シート３の横方向の両側部に設けられた一対のサイドシート７とを有する。また、背側胴回り域１Ａから横方向の両外側に一対のファスニングテープ８が延出している。
【００３９】
吸収体２としては、パルプ繊維等の液体吸収性繊維に高吸収性ポリマー（所謂ＳＡＰ）を含有させたものを所定の形状に成形したものや、親水性のシートにＳＡＰ層を付着させたＳＡＰシート等を例示できる。吸収体２の表面は、液透過性のティッシュペーパーや不織布等のコアラップシート２Ａで構成されていてもよい。
【００４０】
背側胴回り域１Ａには、横方向に伸縮する胴回り伸縮性部材９（例えば伸縮性フィルム等）が配置されており、おむつ１は着用者の胴回りにフィットする。また、おむつ１の横方向の両側部には、縦方向に伸縮する脚周り伸縮性部材１０（例えば糸ゴム等）が配置されており、おむつ１は着用者の脚周りにフィットする。
【００４１】
また、おむつ１は、吸収体２の横方向の両側部において、肌側に起立する一対の防漏壁部１１を有する。防漏壁部１１は、サイドシート７の長手方向の両端部が肌側シート３に接合された端部接合部１２と、端部接合部１２よりも横方向の外側において、サイドシート７が縦方向の一端から他端に亘り肌側シート３に接合された縦接合部１３とに囲まれて、ポケット状になっている。また、防漏壁部１１の先端（横方向の内側端）には、縦方向に伸縮する防漏壁部伸縮性部材１４（例えば糸ゴム等）が配置されている。よって、防漏壁部１１は、縦接合部１３の横方向の内側端１３ａを立ち上がり起点として、肌側に起立可能となっている。
【００４２】
＝＝＝肌側シート３の表面形状について＝＝＝
図３Ａは肌側シート３の第２表面領域３２の断面図であり、図３Ｂは肌側シート３の第１表面領域３１の断面図であり、図３Ｃは肌側シート３（第１表面領域３１）の加工の様子を示す図である。
【００４３】
肌側シート３は、肌側シート３が第１表面形状である第１表面領域３１と、肌側シート３が第１表面形状とは異なる第２表面形状である第２表面領域３２とを有する。本実施形態では、第１表面領域３１において（図３Ｂ）、肌側シート３の肌側面及び非肌側面が凹凸形状となっており、第２表面領域３２において（図３Ａ）、肌側シート３の肌側面及び非肌側面が第１表面領域３１の凹凸形状に比べて平坦な形状となっている。第１表面領域３１は、第２表面領域３２のように平坦であった肌側シート３に対して、加工（凹凸賦形）を施すことにより形成される。
【００４４】
第１表面領域３１に対する加工（凹凸賦形）の一例として、図３Ｃに示すように、一対の賦形ロール２０，２１の間に肌側シート３を通過させる方法を例示できる。なお、図３Ｃは賦形ロール２０，２１の一部を拡大した図である。一対の賦形ロール２０，２１の各外周面には凸部２０Ａ，２１Ａが設けられている。一対の賦形ロール２０，２１の回転時には、一方の賦形ロール２０の凸部２０Ａの間の凹部２０Ｂに、他方の賦形ロール２１の凸部２１Ａが入り込む。この噛み合う凸部２０Ａ，２１Ａの間を肌側シート３が通過する。
【００４５】
その結果、第１表面領域３１では肌側シート３の肌側面及び非肌側面が凹凸形状を成す。また、肌側シート３のうち、賦形ロールの凸部２０Ａ，２１Ａに当接する部位の間の部位は、厚さ方向に引き伸ばされる。そのため、図３Ｂに示すように、第１表面領域３１の凹凸の側壁部３１Ｂでは繊維が疎となり、凹凸の頂部３１Ａでは繊維が密となる。つまり、凹凸賦形された第１表面領域３１では、凹凸賦形されていない第２表面領域３２に比べて、肌側シート３の平面方向における繊維の疎密差が大きくなっている。
【００４６】
＝＝＝おむつ１の吸収性について＝＝＝
図４は第１表面領域３１と中間シート４の配置を示す図である。図５は第１表面領域３１と防漏壁部１１の配置を示す図である。図６Ａ及び図６Ｂは尿の吸収の説明図である。図７Ａ〜図７Ｃ及び図８Ａ〜図８Ｃは軟便の吸収の説明図である。
【００４７】
図４に示すように、肌側シート３は、おむつ１の縦方向及び横方向の広い範囲に亘って配置されている。中間シート４は、肌側シート３よりも小さく、おむつ１の縦方向及び横方向の中央部に配置されている。詳しくは、中間シート４は、おむつ１の縦方向の中心ＣＬを跨いで配置され、かつ、縦方向の腹側に寄って配置されている。
【００４８】
また、前述したように、肌側シート３は、凹凸賦形された第１表面領域３１と、凹凸賦形されていない第２表面領域３２とを有する。図４に示すように、第１表面領域３１は、おむつ１の縦方向の中心ＣＬよりも背側に位置している。
【００４９】
そのため、第１表面領域３１は、肌側から中間シート４に重なる第１配置領域３３（本発明の配置領域）と、中間シート４と重ならない第１非配置領域３４（本発明の非配置領域）とを有する。そして、おむつ１が展開かつ伸長された状態（図４）において、第１配置領域３３は、おむつ１の縦方向の中心ＣＬよりも背側に位置し、第１非配置領域３４は、第１配置領域３３よりも縦方向の背側に位置している。
【００５０】
本実施形態のおむつ１の着用対象者である乳幼児（特に低月齢の乳幼児）の便は、軟便である。そこで、本願発明者は、第１配置領域３３及び第１非配置領域３４のそれぞれに軟便を模した人工便を載せて観察を行った。また、所定時間の経過後、人工便を載せた領域に人工皮膚を載せ、人工皮膚の上に重りを載せ（おむつ着用中の乳幼児の体圧程度の重りを載せ）、その後、人工皮膚への人工便の付着量を観察した。
【００５１】
その結果、第１配置領域３３上に残留していた人工便の粘度が、第１非配置領域３４上に残留していた人工便の粘度よりも高まっていた。また、第１配置領域３３上に残留していた人工便の量（一定面積当たりの量）が、第１非配置領域３４上に残留していた人工便の量（一定面積当たりの量）よりも多かった。よって、第１配置領域３３に載せた人工皮膚への便の付着量が、第１非配置領域３４に載せた人工皮膚への便の付着量よりも多かった。
【００５２】
上記の現象の理論は以下であると考えられる。
第１配置領域３３では、図７Ａ〜図７Ｃに示すように、まず、肌側シート３の肌側に突出する凸部３１１の間の凹部３１２に軟便が入り込む。そうすると、凹部３１２に入り込んだ軟便の水分が、凹部３１２に接する中間シート４へ素早く移行し、軟便の粘度が高まる。また、軟便の水分の透過速度の方が、軟便全体が肌側シート３の内側に取り込まれる速度よりも速い。そのため、軟便全体が肌側シート３の内側に取り込まれる前に、軟便の粘度が高まる。粘度の高まった軟便は肌側シート３の内側に取り込まれにくい。そのため、第１配置領域３３では、表面に残留する軟便の粘度が高く、また、軟便の残留量、及び、皮膚への付着量が比較的に多くなると考えられる。
【００５３】
一方、第１非配置領域３４では、図８Ａ〜図８Ｃに示すように、肌側シート３の下層に中間シート４が位置しない。そのため、肌側シート３の凹部３１２に入り込んだ軟便の水分だけが先に移行することなく、軟便全体が肌側シート３の内側に取り込まれる。特に、肌側シート３の凹凸の側壁部３１Ａの繊維が疎であるため、軟便は、側壁部３１Ａから凸部３１１の内側の空間３１３に取り込まれる。そのため、第１非配置領域３４では、表面に残留する軟便の粘度は高まることなく、また、軟便の残留量、及び、皮膚への付着量が少なくなると考えられる。
【００５４】
そのため、本実施形態のおむつ１のように、凹凸賦形された第１表面領域３１は、おむつ１の縦方向の中心ＣＬよりも背側に位置し（すなわち排便領域に位置し）、かつ、中間シート４と重なる第１配置領域３３と、中間シート４と重ならない第１非配置領域３４とを有するとよい。さらに、第１非配置領域３４が、第１配置領域３３よりも背側に位置しているとよい。
【００５５】
そうすることで、まず、第１配置領域３３に排泄された軟便、又は第１配置領域３３に流れてきた軟便の水分を、中間シート４へ素早く移行できる。よって、軟便の流れ（速度）を抑えることができ、背側からの軟便の漏れを抑制できる。その後、粘度の高い軟便が残留している第１配置領域３３を超えて背側の第１非配置領域３４に流れてきた軟便を、肌側シート３の内側に取り込むことができる。よって、肌側シート３に残留する軟便の量を軽減でき、着用者の肌への軟便の付着を抑制できる。
【００５６】
なお、中間シート４としては、吸収体２（コアラップシート２Ａ）よりも目が粗く（繊維間の空隙が大きく）、液体の透過速度（吸収速度）が速いものを例示できる。例えば、中間シート４として、エアスルー不織布やスパンボンド不織布、架橋セルロース繊維を含むシート等を例示できる。液体の透過速度（吸収速度）の比較は周知の方法で行うことができる。例えば、吸収体２のみのサンプルと、吸収体２の上に中間シート４が配置されたサンプルとを取得する。そして、各サンプルの上に円筒を置き、円筒内に所定量の液体を入れ、液体を入れ始めてから、円筒内の液体が無くなるまでの時間を測定し、比較するとよい。その他、吸収体２及び中間シート４を厚さ方向に切った断面を電子顕微鏡等により２０倍〜１００倍程度の倍率で拡大した画像を取得する。そして、画像解析ソフトを利用して、吸収体２（コアラップシート２Ａ）の断面における一定面積当たりの空隙部の面積と、中間シート４の断面における一定面積当たりの空隙部の面積とを算出し、比較するとよい。
【００５７】
また、本実施形態の第１表面領域３１は一対の賦形ロール２０，２１（図３Ｃ）により凹凸形状を成し、凹凸の側壁部３１Ｂの方が凹凸の頂部３１Ａに比べて繊維の密度が疎になっている。このように、第１表面領域３１の方が、第２表面領域３２に比べて、肌側シート３の平面方向における繊維の疎密差が大きいことが好ましい。そうすることで、第１表面領域３１の繊維が疎の部分（凹凸の側壁部３１Ｂ）から肌側シート３の内側に軟便を取り込みやすくなる。よって、第１表面領域３１（特に第１非配置領域３４）上に残留する軟便の量を軽減できる。
【００５８】
その他、第１表面領域３１の肌側面が凹凸形状であることで、例えば第２表面領域３２のように肌側面が平坦である場合に比べて、軟便の流れを抑えることができる。また、第１表面領域３１が凹凸形状であることで、凹部３１２に入り込んだ軟便を中間シート４に近付けることができ、軟便４の水分を素早く中間シート４へ移行でき、軟便の流れを抑えることができる。よって、背側からの軟便の漏れも抑制できる。
【００５９】
なお、繊維の疎密差の比較は周知の方法で行うことができる。例えば、第１表面領域３１及び第２表面領域３２を厚さ方向に切った断面を電子顕微鏡等により２０倍〜１００倍程度の倍率で拡大した画像を取得する。そして、第１表面領域３１の断面において、繊維が密の部分（頂部３１Ａ）の一定面積当たりの繊維の本数と、繊維が疎の部分（側壁部３１Ｂ）の一定面積当たりの繊維の本数との差を算出し、その差を第１表面領域３１の繊維の疎密差とする。同様に、第２表面領域３２の断面において、繊維が密の部分の一定面積当たりの繊維の本数と、繊維が疎の部分の一定面積当たりの繊維の本数との差を算出し、その差を第２表面領域３１の繊維の疎密差とし、比較するとよい。その他、拡大した断面画像から目視で比較してもよい。
【００６０】
また、第１表面領域３１では、肌側シート３と、肌側シート３と非肌側にて隣り合う資材（中間シート４又は吸収体２）との間に、空間が設けられていることが好ましい。本実施形態では、肌側シート３の非肌側面が凹凸形状を成すため、肌側に突出した凸部３１１と下層の資材との間に空間３１３が設けられている。そうすることで、肌側シート３の下層の空間３１３に、より多くの軟便を取り込むことができ、肌側シート３に残留する軟便の量をより軽減できる。
【００６１】
また、おむつ１が展開かつ伸長された状態（図４）において、第１非配置領域３４の縦方向の長さＬ３は、第１配置領域３３の縦方向の長さＬ２よりも長いこと（Ｌ３＞Ｌ２）が好ましい。そうすることで、軟便を肌側シート３の内側に取り込みやすい第１非配置領域３４を、縦方向の広い範囲に亘り配置できる。よって、肌側シート３に残留する軟便の量をより軽減できる。
【００６２】
また、第１表面領域３１と同様に、第２表面領域３２も、肌側から中間シート４に重なる第２配置領域３５を有することが好ましい。そして、おむつ１が展開かつ伸長された状態において、第２配置領域３５の少なくとも一部が、第１配置領域３３よりも縦方向の腹側に位置しているとよい。つまり、第２配置領域３５が排尿領域に位置しているとよい。
【００６３】
第２表面領域３２は、凹凸賦形されておらず、繊維の疎密差が小さい領域である。そのため、第２表面領域３２には、繊維の密度が高く尿が透過されにくい部位がなく、全域に亘り尿が透過されやすい。そのため、第２配置領域３５では、その全域において尿を素早く中間シート４へ移行でき、尿漏れを抑制できる。また、中間シート４により、尿の吸収性能が向上するだけでなく、吸収体２からの尿の逆戻りも抑制できる。
【００６４】
さらに、おむつ１が展開かつ伸長された状態（図４）において、第２配置領域３５の縦方向の長さ（Ｌ１）は、第１配置領域３３の縦方向の長さ（Ｌ２）と第１非配置領域３４の縦方向の長さ（Ｌ３）とを合計した長さよりも長いこと（Ｌ１＞Ｌ２＋Ｌ３）が好ましい。そうすることで、排尿に適した第２配置領域３５を縦方向の広い範囲に亘り配置できる。よって、軟便よりも流動性の高い尿を、縦方向に広い第２配置領域３５において中間シート４へ素早く移行でき、尿漏れを抑制できる。
【００６５】
また、第１表面領域３１が成す凹凸形状の凸部３１１は、比較的に繊維の密度が高く、剛性が高い。テープ型のおむつ１の場合、縦方向においてファスニングテープ８と重なる部位が、着用者の肌により強く密着する。そこで、図１に示すように、おむつ１が展開かつ伸長された状態において、第１表面領域３１は、ファスニングテープ８の縦方向の中心８ａよりも縦方向の腹側に位置していることが好ましい。そうすることで、第１表面領域３１の剛性の高い部位がファスニングテープ８によって着用者の肌に強く密着せず、着け心地を良くできる。
【００６６】
同様に、テープ型のおむつ１の場合、縦方向において胴回り伸縮性部材９と重なる部位が、着用者の肌により強く密着する。そこで、図１に示すように、おむつ１が展開かつ伸長された状態において、第１表面領域３１は、胴回り伸縮性部材９よりも縦方向の腹側に位置していることが好ましい。そうすることで、第１表面領域３１の剛性の高い部位が胴回り伸縮性部材９によって着用者の肌に強く密着せず、着け心地を良くできる。
【００６７】
また、本実施形態では、第１表面領域３１において、肌側シート３のみ凹凸賦形され、中間シート４は凹凸賦形されない。よって、肌側シート３と共に中間シート４も凹凸賦形される場合に比べて、凹凸賦形により繊維の密度が高まり過ぎることなく、剛性を下げられ、着け心地を良くできる。ただしこれに限定されず、第１表面領域３１において、肌側シート３と共に中間シート４も凹凸賦形されていてもよい。
【００６８】
また、図５に示すように、第１表面領域３１では、肌側に突出した複数の凸部３１１が横方向に間隔を空けて並んでいることが好ましい。このように第１表面領域３１において肌側に突出する部位が横方向に所定の長さを有することで、縦方向の背側へ流れる軟便の速度を抑えることができる。よって、背側からの軟便の漏れを抑制できる。
【００６９】
さらに、横方向に並んだ複数の凸部３１１が縦方向に並んでいることが好ましい。すなわち、複数の凸部３１１が縦方向にも間隔を空けて並んでいることが好ましい。このように第１表面領域３１において肌側に突出する部位が縦方向に所定の長さを有することで、横方向へ流れる軟便の速度を抑えることができる。よって、脚周り開口からの軟便の漏れを抑制できる。
【００７０】
なお、第１表面領域３１の凹凸形状は図５に例示するものに限定されない。例えば、横方向に並ぶ複数の凸部３１１が一体化された、横方向に長い凸部が縦方向に複数並んでいてもよい。また、図５では縦方向に隣り合う凸部３１１の横方向の位置が同じであるが、ずれていてもよい。
【００７１】
また、図５に示すように、おむつ１が展開かつ伸長された状態において、第１非配置領域３４の横方向の長さＷ２は、第１配置領域３３の横方向の長Ｗ１さよりも長いこと（Ｗ２＞Ｗ１）が好ましい。そうすることで、横方向に流れ広がった軟便も、第１非配置領域３４において肌側シート３の内側に取り込める。よって、肌側シート３に残留する軟便の量をより軽減できる。
【００７２】
また、図５に示すように、おむつ１が展開かつ伸長された状態において、第１配置領域３３よりも横方向の外側に延出する第１非配置領域３４の部位（図５の場合、黒塗りされている凸部３１１）の少なくとも一部は、防漏壁部１１よりも横方向の中央側に位置していることが好ましい。そうすることで、横方向における第１配置領域３３と防漏壁部１１との間の第１非配置領域３４において、軟便を肌側シート３の内側に取り込みつつ、防漏壁部１１の内側に誘導できる。よって、軟便は防漏壁部１１で堰き止められやすく、脚周り開口からの軟便の漏れを抑制できる。
【００７３】
なお、図５では、第１配置領域３３と第１非配置領域３４とが縦方向に重複していないが、これに限らない。図示しないが、第１配置領域３３と縦方向に重複する位置において、中間シート４よりも横方向の外側に第１表面領域３１が延出し、第１配置領域３３と第１非配置領域３４とが横方向に並んで位置してもよい。
【００７４】
＝＝＝肌側シート３の変形例＝＝＝
＜第１変形例＞
第１表面領域３１の肌側面及び非肌側面の一方が凹凸形状であり、他方が一方に比べて平坦な形状であってもよい（不図示）。このような第１表面領域３１は、例えば、一対の賦形ロール２０，２１の一方の外周面にのみ凸部が設けられ、他方の外周面が平坦である一対の賦形ロール２０，２１によって形成される。
【００７５】
この場合も、第１表面領域３１の表面形状は、凹凸賦形されない第２表面領域３２（例えば図３Ａ）の表面形状と異なる。また、第１表面領域３１の方が、第２表面領域３２に比べて、繊維の疎密差が大きくなる。そして、第１表面領域３１のうち中間シート４と重なる第１配置領域３３では、軟便４の水分を中間シート４へ移行でき、軟便の流れを抑えることができる。一方、第１表面領域３１のうち中間シート４と重ならない第１非配置領域３４では、繊維が疎の部分から軟便を肌側シート３の内側に取り込むことができる。
【００７６】
特に、第１表面領域３１の肌側面が凹凸形状であり、非肌側面が平坦である場合には、肌側面の凹凸形状により軟便の流れを抑えることができる。逆に、第１表面領域３１の肌側面が平坦であり、非肌側面が凹凸形状である場合には、肌側シート３の下層に空間を設けることができ、その空間に、より多くの軟便を取り込むことができる。
【００７７】
＜第２変形例＞
第１表面領域３１は、肌側シート３の厚さ方向に貫通する貫通孔を有するものでもよい（不図示）。このような第１表面領域３１は、例えば、第１表面領域３１に針状の突起を貫通させることによって形成される。
【００７８】
この場合も、第１表面領域３１の表面形状は、貫通孔を有さない第２表面領域３２（例えば図３Ａ）の表面形状と異なる。また、第１表面領域３１の貫通孔では繊維がほぼゼロとなり、貫通孔の部分とそれ以外の部分との繊維の疎密差が大きく、第１表面領域３１の方が、第２表面領域３２に比べて、繊維の疎密差が大きくなる。そして、第１表面領域３１のうち中間シート４と重なる第１配置領域３３では、貫通孔において軟便が中間シート４に接することができ、軟便の水分を中間シート４へ移行でき、軟便の流れを抑えることができる。一方、第１表面領域３１のうち中間シート４と重ならない第１非配置領域３４では、貫通孔から軟便をおむつ１の内部に取り込むことができる。
【００７９】
＜第３変形例＞
ここまで、第２表面領域３２を平坦な形状としているが、これに限らない。
肌側シート３を形成する資材の肌側面が凹凸形状を成す不織布（例えば繊維ウェブに流体を吹き付けることで凹凸形状を形成した不織布）であってもよい。この場合、第２表面領域３２の肌側面も凹凸形状となる。この場合も、肌側面が凹凸形状である不織布に対して凹凸賦形や貫通孔形成等の加工を施し、第１表面領域３１を形成することで、上記と同様の効果が得られる。
また、第１表面領域３１及び第２表面領域３２に同じ加工（凹凸賦形や貫通孔形成）を施した後、第１表面領域３１にのみ更なる加工を施してもよい。この場合も、上記と同様の効果が得られる。
【００８０】
＜第４変形例＞
上記の実施形態では、中間シート４が第１表面領域３１及び第２表面領域３２と重なるが、これに限らない。例えば、第１表面領域３１が縦方向の腹側まで延び、中間シート４が第１表面領域３１のみと重なり、第２表面領域３２と重ならなくてもよい。この場合にも、第１表面領域３１のうち中間シート４と重なる第１配置領域３３の一部がおむつ１の縦方向の中心ＣＬよりも背側に位置し、中間シート４と重ならない第１非配置領域３４の少なくとも一部が、第１配置領域３３よりも縦方向の背側に位置していればよい。
【００８１】
＜第５変形例＞
第２表面領域３２の方が、第１表面領域３１に比べて、肌側シート３の平面方向における繊維の疎密差が大きくてもよい。例えば、第２表面領域３２に加工（凹凸賦形や貫通孔形成）を施し、第１表面領域３１に加工を施さなくてもよい。この場合にも、第２表面領域３２の凹凸等で軟便の流れを抑えつつ、第１配置領域３３でも軟便の水分を中間シート４へ移行して軟便の流れを抑えることができる。そして、第１非配置領域３４では軟便の水分が先に移行しないため、軟便全体を肌側シート３の内側に取り込むことができる。
【００８２】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８３】
例えば、第１表面領域３１及び第２表面領域３２の配置位置や、第１配置領域３３、第１非配置領域３４、第２配置領域３５の縦方向，横方向の長さの関係、第１非配置領域３４と防漏壁部１１との位置関係等、上記に限定されないものとする。
【符号の説明】
【００８４】
１  テープ型使い捨ておむつ（吸収性物品）、
２  吸収体、３  肌側シート、４  中間シート、
５  防漏シート、６  外装シート、７  サイドシート、
８  ファスニングテープ、９  胴回り伸縮性部材、
１０  脚周り伸縮性部材、１１  防漏壁部、
２０，２１  賦形ロール、
３１  第１表面領域、３１Ａ  頂部、３１Ｂ  側壁部、
３２  第２表面領域、
３３  第１配置領域（配置領域）、３４  第１非配置領域（非配置領域）、
３５  第２配置領域
【図１】
2020028379.tif 000003
【図２】
2020028379.tif 000004
【図３】
2020028379.tif 000005
【図４】
2020028379.tif 000006
【図５】
2020028379.tif 000007
【図６】
2020028379.tif 000008
【図７】
2020028379.tif 000009
【図８】
2020028379.tif 000010